(57)【要約】      （修正有）【課題】格子全体の軽量化を図り、格子のがたつきを防止し、組立が容易な格子体を提供する。【解決手段】格子１０と付子２０と格子押さえ３０と保持桟とを備え、格子１０は、長手方向端部の一側に第１の突部１１と、他側に第２の突部とを有し、付子２０は、第１の上壁と、第１の下壁２２と、第１の上壁と第１の下壁２２とを連結する連結部２３とを有し、第１の下壁２２には切欠けが設けられており、格子押さえ３０は、縦壁３２と、縦壁３２に取り付けられたクッション材３３とを有し、保持桟は、格子１０と対向する側に凹部を有し、付子２０の切欠けにはめ込まれた格子１０の第２の突部が、付子２０の第１の上壁と当接し、格子押さえ３０の縦壁３２と付子２０とで、格子押さえ３０のクッション材３３と格子１０の第２の突部とを挟持し、保持桟の凹部に、付子２０と格子押さえ３０が収められている格子体を構成した。【選択図】図１０
2014148808.tif 000002
【特許請求の範囲】
【請求項１】
格子と、付子と、格子押さえと、保持桟とを備え、
格子は、長手方向端部の一側に第１の突部と、他側に第２の突部とを有し、
付子は、第１の上壁と、第１の下壁と、第１の上壁と第１の下壁とを連結する連結部とを有し、第１の下壁には切欠けが設けられており、
格子押さえは、縦壁と、縦壁に取り付けられたクッション材とを有し、
保持桟は、格子と対向する側に凹部を有し、
付子の切欠けにはめ込まれた格子の第２の突部が、付子の第１の上壁と当接し、
格子押さえの縦壁と付子とで、格子押さえのクッション材と格子の第２の突部とを挟持し、
保持桟の凹部に、付子と格子押さえが収められている、
ことを特徴とする格子体。
【発明の詳細な説明】
【技術分野】
【０００１】
本発明は、跳ね上げ門扉等において用いられる格子体に関する。
【背景技術】
【０００２】
従来、跳ね上げ門扉、引戸門扉、フェンス等において用いられる、複数の縦格子により格子面を形成した格子体においては、各格子の端部がねじ等によって固定されている。
【０００３】
特許文献１には、フェンスなどにおいて用いられる、複数の縦格子により格子体を形成し、格子をより長く見せ、外観意匠が良好となるようにする技術が開示されている。図１１（ａ）は格子体の全体を示す正面図、図１１（ｂ）は格子体の一部を拡大した横断面図である。格子体１０１は、図１１（ａ），（ｂ）に示されているように、上下の桟の間に左右に間隔をあけて複数の縦格子が配置されており、柱１０３で支持されている。
【０００４】
具体的な構造については、図１２（ａ），（ｂ）、及び、図１３（ａ），（ｂ），（ｃ）に基づいて説明する。図１２（ａ）は格子体の組み立ての状態を示す分解正面図、図１２（ｂ）は分解縦断面図である。図１３（ａ）は格子体の縦断面図であり、図１３（ｂ）は付子付近の一部を拡大した縦断面図、図１３（ｃ）は付子の縦断面図である。
【０００５】
縦格子１１０は、その端部に、一側の見付面側の第１の突部１１１と、他側の見付面側の第２の突部１１２と、第１の突部１１１と第２の突部１１２との間の溝部１１３とを備えている。付子１３０は、図１３（ｃ）に示されているように、上壁部１３０ａと、上壁部１３０ａの他側から下方に伸びる側壁部１３０ｂと、側壁部１３０ｂの下端から一側に伸びる下壁部１３０ｃとから断面ほぼコ字型となるように構成されている。付子１３０の下壁部１３０ｃには、図１１（ｂ）に示されているように、付子１３０の長手方向に沿って複数の切欠け１０７が設けられており、それによって付子１３０は鋸歯状に形成されている。
【０００６】
本格子体を組み立てるときには、上桟１４０に付子１３０を固定し、その後縦格子１１０の第２の突部１１２が付子１３０にはめ込まれ、付子１３０が縦格子１１０のタッピングホール１１５に上下方向からねじ止めされて固定される。その際には、上桟１４０が備えている第３の突部１４１が、縦格子１１０の溝部１１３にはめ込まれるようにする。
組み立てられた格子体は、縦格子１１０の第１の突部１１１が上桟１４０を覆うように構成されるため、縦格子１１０を長く見せることができ、外観意匠が良好な格子体となる。
【先行技術文献】
【特許文献】
【０００７】
【特許文献１】特開２０１０−２２２９５４号公報
【発明の概要】
【発明が解決しようとする課題】
【０００８】
しかしながら、特許文献１に開示されている技術は、各縦格子１１０にねじ止めのためのタッピングホールを設ける必要があるため、全体の重量が重くなってしまい、フェンス等に用いる際には問題がなくとも、跳ね上げ門扉等の上下方向に移動させる門扉に格子体を用いる際には、持ち上げが困難となったり、開閉機構に重量による負荷が生じてしまうおそれがあった。
【０００９】
また、門扉開閉の際に、付子と縦格子との間の隙間ががたつきが生じさせたり、付子にねじ止めされず、係止しただけの縦格子があるので、簡単に組み立てを行うことが難しいという問題点があった。
【００１０】
そこで本発明は、格子体全体の軽量化を図り、格子のがたつきを防止し、組立が容易とした格子体を提供することを目的とする。
【課題を解決するための手段】
【００１１】
本願の請求項１に係る発明では、格子と、付子と、格子押さえと、保持桟とを備え、格子は、長手方向端部の一側に第１の突部と、他側に第２の突部とを有し、付子は、第１の上壁と、第１の下壁と、第１の上壁と第１の下壁とを連結する連結部とを有し、第１の下壁には切欠けが設けられており、格子押さえは、縦壁と、縦壁に取り付けられたクッション材とを有し、保持桟は、格子と対向する側に凹部を有し、付子の切欠けにはめ込まれた格子の第２の突部が、付子の第１の上壁と当接し、格子押さえの縦壁と付子とで、格子押さえのクッション材と格子の第２の突部とを挟持し、保持桟の凹部に、付子と格子押さえが収められている、ことを特徴とする格子体が提供される。
【００１２】
すなわち、請求項１に係る発明では、付子と格子押さえとで格子を挟持して固定するため、個別の格子にタッピングホールが不要となり、格子を固定するねじの個数も削減できるため格子体全体の軽量化を図ることができる。また、格子が付子と格子押さえとで挟持された状態で保持桟に取り付けられるため、格子のがたつきが防止され、格子体の組み立てを容易とすることができる。
【発明の効果】
【００１３】
本発明により、格子全体の軽量化を図り、格子のがたつきを防止し、組立が容易な格子体を提供することが可能となる。
【図面の簡単な説明】
【００１４】
【図１】本発明の実施の形態の格子体の全体を示す正面図である。
【図２】本発明の実施の形態の格子体の横断面図である。
【図３】本発明の実施の形態の格子体の縦断面図である。
【図４（ａ）】本発明の実施の形態の格子体の分解正面図である。
【図４（ｂ）】本発明の実施の形態の格子体の分解縦断面図である。
【図５】本発明の実施の形態の縦格子の立面図である。
【図６】本発明の実施の形態において、縦格子に付子を取り付けた状態の断面図である。
【図７】本発明の実施の形態において、さらに格子押さえを取り付け途中の断面図である。
【図８】本発明の実施の形態において、格子押さえまで取り付けた状態の断面図である。
【図９】本発明の実施の形態において、上桟を取り付け途中の断面図である。
【図１０】本発明の実施の形態において、上桟目板を取り付ける状態の断面図である。
【図１１（ａ）】従来技術の格子体の全体を示す正面図である。
【図１１（ｂ）】従来技術の格子体の一部を拡大した横断面図である。
【図１２（ａ）】従来技術の格子体の組み立ての状態を示す分解正面図である。
【図１２（ｂ）】従来技術の格子体の組み立ての状態を示す分解縦断面図である。
【図１３（ａ）】従来技術の格子体の縦断面図である。
【図１３（ｂ）】従来技術の格子体の付子付近の一部を拡大した縦断面図である。
【図１３（ｃ）】従来技術の付子の縦断面図である。
【発明を実施するための形態】
【００１５】
以下、本発明の実施の形態について図面に基づいて説明する。
図１は本実施の形態の格子体の全体を示す正面図である。図１に示されているように、複数の縦格子１０が互いに平行になるように上桟４０、下桟６０に取り付けられて、格子体１を形成している。図２は本実施の形態の格子体の横断面図である。図２に示されているように、本発明の格子体は左右の２か所でねじによってアーム２に取り付けられており、アーム２を上下に回動させることによって、格子体を跳ね上げ門扉として用いることができる。
【００１６】
図３は本実施の形態の格子体の縦断面図であり、縦格子１０を上桟４０と下桟６０とで固定する構造となっている。具体的な構造については、図４、図５〜図１０を用いて説明する。
図４（ａ）は本実施の形態の格子体の分解正面図、図４（ｂ）は分解縦断面図であり、図５〜図１０は本実施の形態の格子体の組み立て手順を示す図である。以下、図４を参照にしつつ、図５〜図１０の組み立て手順に沿って説明する。
【００１７】
図５は縦格子１０の立面図を示している。縦格子１０は、一側の見付面側に第１の突部１１、他側の見付面側に第２の突部１２を有し、第１の突部１１と第２の突部１２との間に第１の凹部１３を有している。
【００１８】
次に図６に示されているように、縦格子１０に付子２０を取り付ける。付子２０は図４（ａ）に示されているように、格子体の幅全体にわたって一体に設けられており、第１の上壁２１と、第１の上壁の他端側から下方に伸びる連結部２３と、連結部２３の下端から一端側及び他端側に伸びる第１の下壁２２とから構成されている。また、図２に示されているように、格子体における縦格子１０の間隔に合わせて、付子２０の第１の下壁２２には複数の切欠け２４が設けられており、複数の切欠け２４のそれぞれに、縦格子１０の他側の見付面側に設けられている第２の突部１２がはめ込まれる。このとき、複数の切欠け２４は第１の下壁２２にのみ設けられ、第１の上壁２１には設けられていないため、縦格子１０の第２の突部１２は付子２０の第１の上壁２１の位置で位置決めされることとなる。
【００１９】
複数の切欠け２４に縦格子１０の第２の突部１２がはめ込まれた後、図４に示されているように、小ねじトラス２５によって、複数本（本実施の形態では４本）おきに縦格子１０は、他側の見付面側から付子２０の連結部２３と縦格子１０の第２の突部１２とを貫通し、縦格子１０に設けられたねじ穴１４に螺合して固定される。ここで、付子２０は複数の切欠け２４によって複数の縦格子１０を係止しており、後述するようにその後格子押さえ３０で挟み込んで押さえつけ、上桟４０、下桟６０に収められるため、すべての縦格子１０にねじ止めしなくとも、一部の縦格子１０をねじ止めするだけでも十分である。なお、本実施の形態では、図４に示されているように、縦格子１０のねじ止めを４本に１本ごとに行っているが、これに限られたものではなく、適宜複数本おきのねじ止めを行ってもよい。また、本実施の形態では、付子２０は格子体の幅全体に渡って一体とされているが、これも全体を一体にしたものに限られたものではなく、適宜複数に分割することもできる。
【００２０】
次に図７に示されているように、格子押さえ３０を取り付ける。格子押さえ３０は図４（ａ）に示されているように、格子体の幅を２分する長さを有しており、第２の上壁３１と、第２の上壁の一端側から下方に伸びる縦壁３２と、縦壁３２の他側の面に取り付けられるスポンジ等で形成されるクッション材３３とから構成されている。格子押さえ３０を取り付ける際には、第２の上壁３１を付子２０の第１の上壁２１に接触させ、クッション材３３を縦格子１０の第２の突部１２に密着させるようにする。その後、上方から小ねじトラス３５によって付子２０と格子押さえ３０とを固定するが、その際には図４（ａ）に示されているように、複数の縦格子１０の間など、縦格子１０に干渉しない位置において小ねじトラス３５で固定するようにする。
【００２１】
図８は格子押さえ３０まで固定された状態を示す図である。図８に示されているように、縦格子１０は複数本の縦格子１０に渡る付子２０と、同じく複数本の縦格子１０に渡る格子押さえ３０とで挟まれて固定されているため、前述のとおり縦格子１０の中には付子２０にねじ止めされていないものもあるものの、それらの付子２０にねじ止めされていない縦格子１０についても門扉を開閉する際にがたつきが発生したりすることはない。なお、本実施の形態においては、格子押さえ３０は格子体全体の幅を２分する長さとされているが、長さはこれに限られたものではなく、格子体の幅全体にわたって一体としたものとすることもできるし、２分以外の適宜複数の本数に分割することもできる。
【００２２】
次に図９に示されているように、上桟４０を取り付ける。上桟４０は図４（ａ）に示されているように、格子体の幅全体にわたって一体に設けられており、その下端部に、第３の突部４１と第４の突部４３と第３の突部４１と第４の突部４３とを結ぶ結合部４２とを有し、第３の突部４１、第４の突部４３、結合部４２とで第２の凹部４４が形成されている。上桟４０を取り付ける際には、格子体１０の第１の突部１１と、格子押さえ３０の縦壁３２との間に、上桟４０の第３の突部４１がはまり込むようにして、上桟４０の結合部４２が格子押さえ３０の第２の上壁３１に接触するようにして取り付けられる。また、縦格子１０の第１の突部１１の先端部は、上桟４０の上方に設けられた凹部４６に収められる。これにより、縦格子１０の第１の突部１１が安定して固定され、端部がばたつくことを防止することができる。
【００２３】
次に図１０に示されているように、上方から小ねじトラス４５により固定する。固定の際には、図４（ａ）に示されているように、複数の縦格子１０の間など、格子に干渉しない位置であって、格子押さえを固定する小ねじトラス３５が取り付けられる位置とは異なる位置において、小ねじトラス４５によって固定される。最後に、上桟４０の上方から上桟目板５０を取り付ける。
なお、この実施の形態では、縦格子１０と上桟４０との固定について説明したが、縦格子１０と下桟６０との固定においても、上下が逆となるのみで同様の方法で固定することができる。
【００２４】
本実施の形態においては、縦方向に延びる縦格子１０を上下に設けられた上桟４０及び下桟６０において保持する構成とされているが、必ずしも格子は縦方向に延びるものに限ったものではない。本願の特許請求の範囲においては、付子や格子押さえの形状を理解しやすくするために、格子が縦方向に延びる場合の位置関係として、上、下、縦といった用語を用いているが、格子が横方向とされた場合には、それに応じて付子や格子押さえの形状を説明する用語の位置関係についても変化することは言うまでもない。
また、本実施の形態においては、格子体を跳ね上げ門扉において用いる例としていたが、本発明の格子体は跳ね上げ門扉のみに用いられるものではなく、引戸門扉やフェンス等にも用いることができる。
【００２５】
さらに、本実施の形態においては、格子押さえ３０と付子２０との結合を、上方からの小ねじトラス３５によって、格子押さえ３０の第２の上壁３１と付子２０の第１の上壁２１を貫通するように固定しているが、固定方法としてはこの位置に限るものではなく、例えば格子押さえ３０の縦壁３２と付子２０の第１の上壁２１を貫通するように固定するなど、他の位置において固定することもできる。
また、本実施の形態においては、付子２０の形状として、第１の上壁２１と第１の下壁２２との間を、連結部２３が垂直となるように連結しているが、連結部２３は必ずしも垂直である必要はなく、一部が斜めになるなど、その機能を果たす範囲で適宜異なる形状で第１の上壁２１と第１の下壁２２との間を連結するようにすることもできる。
【符号の説明】
【００２６】
１    格子体
２    アーム
１０  縦格子
１１  第１の突部
１２  第２の突部
１３  第１の凹部
１４  ねじ穴
２０  付子
２１  第１の上壁
２２  第１の下壁
２３  連結部
２４  切欠け
２５  小ねじトラス
３０  格子押さえ
３１  第２の上壁
３２  縦壁
３３  クッション材
３５  小ねじトラス
４０  上桟
４１  第３の突部
４２  結合部
４３  第４の突部
４４  第２の凹部
４５  小ねじトラス
４６  凹部
５０  上桟目板
６０  下桟
７０  下桟目板
【図１】
2014148808.tif 000003
【図２】
2014148808.tif 000004
【図３】
2014148808.tif 000005
【図４（ａ）】
2014148808.tif 000006
【図４（ｂ）】
2014148808.tif 000007
【図５】
2014148808.tif 000008
【図６】
2014148808.tif 000009
【図７】
2014148808.tif 000010
【図８】
2014148808.tif 000011
【図９】
2014148808.tif 000012
【図１０】
2014148808.tif 000013
【図１１（ａ）】
2014148808.tif 000014
【図１１（ｂ）】
2014148808.tif 000015
【図１２（ａ）】
2014148808.tif 000016
【図１２（ｂ）】
2014148808.tif 000017
【図１３（ａ）】
2014148808.tif 000018
【図１３（ｂ）】
2014148808.tif 000019
【図１３（ｃ）】
2014148808.tif 000020